(57)【要約】【課題】ユーザが、画像の出力先として、セキュリティが確保された画像形成装置を自由に選択する。【解決手段】異なる場所に設置された出力装置と、異なる場所のセキュリティレベルを測定する手段と、異なる場所のうち、セキュリティレベルが最も低い場所から昇順に抽出する手段と、昇順に抽出された場所の中から任意の場所を選択する手段と、選択された場所に設置されている出力装置に対して画像形成を指示する手段と、指示された出力装置において画像形成を実行する手段と、を含む。【選択図】図１
2016133672.tif 000002
【特許請求の範囲】
【請求項１】
異なる場所に設置された出力装置と、
前記異なる場所のセキュリティレベルを測定する手段と、
前記異なる場所のうち、前記セキュリティレベルが最も低い場所から昇順に抽出する手段と、
前記昇順に抽出された場所の中から任意の場所を選択する手段と、
前記選択された場所に設置されている出力装置に対して画像形成を指示する手段と、
前記指示された出力装置において前記画像形成を実行する手段と、
を含むことを特徴とする画像形成装置。
【請求項２】
前記任意の場所を選択してから前記画像形成を指示するまでの間に、前記選択された場所のセキュリティレベルが前記選択した時点と比較して上昇したとき、前記セキュリティレベルが上昇した旨を報知する手段をさらに含むことを特徴とする請求項１に記載の画像形成装置。
【請求項３】
前記セキュリティレベルが上昇した旨を報知した後、前記画像形成を継続する旨の指示を受けると、前記選択された場所に設置されている出力装置において前記画像形成を実行することを特徴とする請求項２に記載の画像形成装置。
【請求項４】
前記セキュリティレベルが上昇した旨を報知した後、前記画像形成を中断する旨の指示を受けると、前記選択された場所に設置されている出力装置において前記画像形成を実行しないことを特徴とする請求項２に記載の画像形成装置。
【請求項５】
前記セキュリティレベルが上昇した旨を報知した後、前記画像形成を中断する旨の指示を受けると、前記選択された場所に設置されている出力装置において前記画像形成のためのデータを蓄積することを特徴とする請求項２に記載の画像形成装置。
【請求項６】
前記任意の場所を選択してから前記画像形成を指示するまでの間に、前記選択された場所のセキュリティレベルと比較してより低いセキュリティレベルを有する場所が他に現れたとき、前記より低いセキュリティレベルを有する場所が他に存在する旨を報知する手段をさらに含むことを特徴とする請求項１に記載の画像形成装置。
【請求項７】
前記より低いセキュリティレベルを有する場所が他に存在する旨を報知した後、前記画像形成を継続する旨の指示を受けると、前記選択された場所に設置されている出力装置において前記画像形成を実行することを特徴とする請求項６に記載の画像形成装置。
【請求項８】
前記より低いセキュリティレベルを有する場所が他に存在する旨を報知した後、前記より低いセキュリティレベルを有する場所を選択する旨の指示を受けると、前記より低いセキュリティレベルを有する場所に設置されている出力装置のうち、画像形成速度が最速の出力装置において前記画像形成を実行することを特徴とする請求項６に記載の画像形成装置。
【請求項９】
前記より低いセキュリティレベルを有する場所が他に存在する旨を報知した後、前記より低いセキュリティレベルを有する場所を選択する旨の指示を受け、前記画像形成速度が最速の出力装置が存在しないとき、前記より低いセキュリティレベルを有する場所に設置されている出力装置のうち、最も近い場所に設置されている出力装置において前記画像形成を実行することを特徴とする請求項８に記載の画像形成装置。
【請求項１０】
前記より低いセキュリティレベルを有する場所が他に存在する旨を報知した後、前記より低いセキュリティレベルを有する場所を選択する旨の指示を受け、前記画像形成速度が最速の出力装置、及び最も近い場所に設置されている出力装置が存在しないとき、前記より低いセキュリティレベルを有する場所に設置されている出力装置のうち、画像形成の価格が最安値の出力装置において前記画像形成を実行することを特徴とする請求項９に記載の画像形成装置。
【請求項１１】
前記より低いセキュリティレベルを有する場所が他に存在する旨を報知した後、前記より低いセキュリティレベルを有する場所を選択する旨の指示を受け、前記画像形成速度が最速の出力装置、最も近い場所に設置されている出力装置、及び画像形成の価格が最安値の出力装置が存在しないとき、前記より低いセキュリティレベルを有する場所に設置されている出力装置をすべて表示することを特徴とする請求項１０に記載の画像形成装置。
【請求項１２】
前記セキュリティレベルは、前記場所に入退場するユーザの識別情報に基づいて定められることを特徴とする請求項１から１１の何れか１項に記載の画像形成装置。
【請求項１３】
異なる場所に設置された画像形成装置と、前記画像形成装置が設置されている場所への入退場を制御する制御装置と、前記場所のセキュリティレベルを管理するサーバ装置と、がネットワークを介して接続された画像形成システムであって、
前記異なる場所のセキュリティレベルを測定する手段と、
前記異なる場所のうち、前記セキュリティレベルが最も低い場所から昇順に抽出する手段と、
前記昇順に抽出された場所の中から任意の場所を選択する手段と、
前記選択された場所に設置されている画像形成装置に対して画像形成を指示する手段と、
前記指示された画像形成装置において前記画像形成を実行する手段と、
を含むことを特徴とする画像形成システム。
【請求項１４】
異なる場所に設置された画像形成装置と、前記画像形成装置が設置されている場所への入退場を制御する制御装置と、前記場所のセキュリティレベルを管理するサーバ装置と、がネットワークを介して接続された画像形成システムの制御方法であって、
前記異なる場所のセキュリティレベルを測定する工程と、
前記異なる場所のうち、前記セキュリティレベルが最も低い場所から昇順に抽出する工程と、
前記昇順に抽出された場所の中から任意の場所を選択する工程と、
前記選択された場所に設置されている画像形成装置に対して画像形成を指示する工程と、
前記指示された画像形成装置において前記画像形成を実行する工程と、
を含むことを特徴とする制御方法。
【請求項１５】
出力装置が異なる場所に設定された画像形成装置のコンピュータに、
前記異なる場所のセキュリティレベルを測定する処理と、
前記異なる場所のうち、前記セキュリティレベルが最も低い場所から昇順に抽出する処理と、
前記昇順に抽出された場所の中から任意の場所を選択する処理と、
前記選択された場所に設置されている出力装置に対して画像形成を指示する処理と、
前記指示された出力装置において前記画像形成を実行する処理と、
を実行させるためのプログラム。
【発明の詳細な説明】
【技術分野】
【０００１】
本発明は、画像形成装置、画像形成システム、画像形成システムの制御方法、及びプログラムに関する。
【背景技術】
【０００２】
画像形成システムにおいて、印刷ジョブを実行する画像形成装置が設置されている居室に、当該画像形成装置で形成される画像を秘匿しておく必要がある部外者が在室している場合、当該部外者が在室していない居室に設置されている画像形成装置に対して印刷ジョブを転送する技術が一般的に知られている。
【０００３】
特許文献１には、形成される画像を秘匿する必要がある部外者が、当該画像形成装置の周囲に居る場合であっても、画像を、当該部外者に見られることなく印刷出力することが可能な画像形成システムを提供することを目的としている。具体的には、周囲に画像を秘匿しておきたい部外者が居る場合、当該部外者が居ない領域に設置されている画像形成装置に対して印刷ジョブを転送する技術が開示されている。
【発明の概要】
【発明が解決しようとする課題】
【０００４】
しかしながら、特許文献１に開示された技術では、画像のセキュリティを確保しつつ画像形成を行うことは可能であるが、部外者が居ない領域に設置された画像形成装置に対する印刷ジョブの転送のみを行っており、ユーザが画像を出力したい画像形成装置を自由に選択することができないという問題があった。
【０００５】
そこで、本発明は、上記従来技術の問題点に鑑みてなされたものであって、画像形成装置が設置されている居室への部外者の入退室を管理し、部外者に対する画像の秘匿を行うことにより、ユーザが、画像の出力先として、セキュリティが確保された画像形成装置を自由に選択することが可能な画像形成装置を提供することを目的とする。
【課題を解決するための手段】
【０００６】
上記課題を解決するため、請求項１に記載の本発明における画像形成装置は、異なる場所に設置された出力装置と、前記異なる場所のセキュリティレベルを測定する手段と、前記異なる場所のうち、前記セキュリティレベルが最も低い場所から昇順に抽出する手段と、前記昇順に抽出された場所の中から任意の場所を選択する手段と、前記選択された場所に設置されている出力装置に対して画像形成を指示する手段と、前記指示された出力装置において前記画像形成を実行する手段と、を含むことを特徴とする。
【発明の効果】
【０００７】
本発明によれば、ユーザが、画像の出力先として、セキュリティが確保された画像形成装置を自由に選択することが可能な画像形成装置を得ることができる。
【図面の簡単な説明】
【０００８】
【図１】本実施形態に係る画像形成システムの概要について説明するシステム構成図である。
【図２】本実施形態に係る画像形成システムのデータの流れについて説明するブロック図である。
【図３】本実施形態に係る画像形成システムを構成する画像形成装置の概要について説明する構成図である。
【図４】本実施形態に係る画像形成システムを構成する画像形成装置の操作画面の一例について説明する図である。
【図５】本実施形態に係る画像形成システムを構成する画像形成装置の印刷方法を選択する操作画面の一例について説明する図である。
【図６】本実施形態に係る画像形成システムを構成する画像形成装置の出力先を選択する操作画面の一例について説明する図である。
【図７】本実施形態に係る画像形成システムを構成する画像形成装置の出力条件を表示する操作画面の一例について説明する図である。
【図８】本実施形態に係る画像形成システムを構成する画像形成装置が設置されている居室のセキュリティ状況を警告する操作画面の一例について説明する図である。
【図９】本実施形態に係る画像形成システムを構成する画像形成装置への蓄積を報知する操作画面の一例について説明する図である。
【図１０】本実施形態に係る画像形成システムを構成する他の画像形成装置が出力先として選択可能であることを報知する操作画面の一例について説明する図である。
【図１１】本実施形態に係る画像形成システムの動作について説明するフロー図である。
【図１２】本実施形態に係る画像形成システムを構成する画像形成装置の操作部に警告を表示する動作について説明するフロー図である。
【図１３】本実施形態に係る画像形成システムを構成する画像形成装置に強制的に蓄積する動作について説明するフロー図である。
【図１４】本実施形態に係る画像形成システムを構成する画像形成装置の再選択を行う動作について説明するフロー図である。
【発明を実施するための形態】
【０００９】
次に、本発明を実施するための形態について図面を参照して詳細に説明する。なお、各図中、同一又は相当する部分には同一の符号を付しており、その重複説明は適宜に簡略化乃至省略する。以下、本実施形態について説明するが、本実施形態は、以下に説明する実施形態に限定されるものではない。なお、以下に説明する実施形態において、画像形成装置が設置されている居室の数は、任意の数とすることが可能である。
【００１０】
本発明の実施の形態について説明する。本実施形態は、セキュリティが確保された画像形成装置を出力先としてユーザが選択することにつき、以下の特徴を有する。すなわち、居室を一例とする場所への入退場者を検出することにより得られる当該場所のセキュリティレベルと、そこに設置されている画像形成装置を出力先として選択することが可能か否かという情報とを連携することとしている。そして、画像形成装置における入力機と出力機とを連携させることとしている。以下、本実施形態について、図面を用いて詳細に解説する。
【００１１】
まず、本実施形態に係る画像形成システムの概要について説明する。図１は、本実施形態に係る画像形成システムの概要について説明するシステム構成図である。
【００１２】
本実施形態に係る画像形成システム２００は、居室を一例とする場所への入退場者を検出し、扉の開閉を制御する入退室制御装置２０１を有している。また、居室には、ＭＦＰ（Multi Function Peripheral：多機能周辺装置）２０３やプリンタ２０４を一例とする画像形成装置が設置されている。さらに、入退室制御装置２０１の検出結果に基づいて、居室のセキュリティレベルを判定するサーバ装置である入退室管理サーバ２０２を有している。入退室管理サーバ２０２は、パーソナルコンピュータ（以下、ＰＣという。）等によって実現しても良い。
【００１３】
そして、ＭＦＰ２０３、入退室制御装置２０１、及び入退室管理サーバ２０２は、ＬＡＮ（Local Area Network）２０５を一例とするネットワークによって接続されている。複数の居室の各々に対応して複数のＭＦＰがそれぞれ設置されている場合であっても、入退室管理サーバ２０２でセキュリティを管理する構成であるため、一元的な管理が可能である。
【００１４】
次に、本実施形態に係る画像形成システムのデータの流れについて説明する。図２は、本実施形態に係る画像形成システムのデータの流れについて説明するブロック図である。
【００１５】
画像形成システム２００を構成する入退室制御装置２０１は、各ユーザを識別するための識別情報（ＩＤ）が書き込まれたカードである入退出カードから識別情報を読み取り、扉を開閉する機能を有する。なお、入退出カードは各ユーザがそれぞれ所持しており、居室に入室する際、又は居室から退出する際に、各ユーザが自分の入退出カードを入退室制御装置２０１に翳すことにより、各ユーザの識別情報が読み取られるものである。
【００１６】
画像形成装置は、入力装置と出力装置とが連携する機能を有するＭＦＰ２０３やプリンタ２０４等を一例とするものである。入退室管理サーバ２０２はＰＣ等からなり、入退室制御装置２０１で読み取られたＭＦＰ２０３、プリンタ２０４が設置されている居室の入退室者の識別情報に基づいて、当該居室のセキュリティレベルを判定するものである。入退室制御装置２０１は、入退室制御装置２０１に入退出カードが翳されたとき、識別情報を入退室管理サーバ２０２に通知する。
【００１７】
入退室管理サーバ２０２は、ユーザが画像を出力しようとしているＭＦＰ等が使用中である場合、入退室制御装置２０１から通知された識別情報に基づいて、待機中である他のＭＦＰ等が設置されている居室のセキュリティレベルを判定する。そして、判定結果を、当該ユーザが操作中の入力装置であるＭＦＰ２０３に通知する。ユーザが操作中のＭＦＰ２０３は、入退室管理サーバ２０２から通知されたセキュリティレベルの判定結果に基づいて、当該ユーザが画像を出力しようとする出力装置の抽出を行う。
【００１８】
次に、本実施形態に係る画像形成システムを構成する画像形成装置の概要について説明する。図３は、本実施形態に係る画像形成システムを構成する画像形成装置の概要について説明する構成図である。
【００１９】
本実施形態に係る画像形成装置の一例であるＭＦＰ２０３において、自動原稿送り装置（以下、ＡＤＦ（Auto Document Feeder）という。）１にある原稿台２に、原稿の画像面を上にして原稿束が置かれる。そして、操作部７０（図４）上のスタートキー７２（図７）が押下されると、一番下の原稿から順番に、給送ローラ３によって給送され、給送ベルト４によってコンタクトガラス６上の所定の位置に載置される。
【００２０】
ＭＦＰ２０３は、一枚の原稿の給送が完了することにより、原稿枚数をカウントアップするカウント機能を有している。給送された原稿は、コンタクトガラス６上に載置されると、読み取りユニット５０によって原稿の画像データが読み取られる。画像データの読み取りが終了した原稿は、給送ベルト４及び排送ローラ５によって排出される。
【００２１】
さらに、原稿セット検知部７により、原稿台２上に次の原稿が存在することが検知された場合、前の原稿と同様に、コンタクトガラス６上に給送され載置される。ここで、給送ローラ３、給送ベルト４、及び排送ローラ５は、搬送モータによって駆動される。
【００２２】
第１トレイ８、第２トレイ９、及び第３トレイ１０に積載された転写紙は、各々第１給紙ユニット１１、第２給紙ユニット１２、及び第３給紙ユニット１３によって給紙され、縦搬送ユニット１４によって感光体１５に当接する位置まで搬送される。読み取りユニット５０によって読み取られた画像データは、書き込みユニット５７からのレーザによって感光体１５に書き込まれ、現像ユニット２７を通過することによってトナー画像が形成される。
【００２３】
そして、転写紙は、感光体１５の回転と等速で搬送ベルト１６によって搬送されながら、感光体１５上のトナー画像が転写される。その後、定着ユニット１７において画像が定着され、排紙ユニット１８によって後処理装置のフィニシャ１００に排出される。
【００２４】
後処理装置のフィニシャ１００は、ＭＦＰ２０３本体の排紙ローラによって搬送された転写紙を、通常排紙ローラの方向１０２と、ステープル処理部の方向とに導くことができる。切り替え板１０１を上方向に切り替えることにより、排紙搬送ローラ１０３を経由して通常排紙トレイ１０４側に排紙することができる。また、切り替え板１０１を下方向に切り替えることにより、ステープラ搬送ローラ１０５、１０７を経由して、ステープル台１０８に搬送することができる。
【００２５】
ステープル台１０８に積載された転写紙は、一枚排紙される毎に紙揃え用のジョガー１０９によって紙端面が揃えられ、一部のコピー完了と共にステープラ１０６によって綴じられる。ステープラ１０６で綴じられた転写紙群は、自重により、ステープル完了排紙トレイに収納される。
【００２６】
また、中綴じステープルを行う場合は、第１折りローラ１１５、第２折りローラ１１６、第３折りローラ１１７、折り決めローラ１１８、及び排紙搬送ローラ１２２を経由して転写紙が搬送され、中綴じステープラ１２１によって中綴じステープルが実施される。中綴じステープラ１２１で閉じられた転写紙群は、排紙搬送ローラ１２２によって断裁機１２３に搬送され、断裁処理が実施される。断裁機１２３で断裁された転写紙群は、中綴じステープル・断裁完了排紙トレイ１１０に排出される。
【００２７】
一方、通常排紙トレイ１０４は、前後方向（紙面の手前方向と奥行き方向）に移動可能な排紙トレイである。前後方向に移動可能な通常排紙トレイ１０４は、原稿毎、又は画像メモリによってソーティングされたコピー部毎に前後方向に移動し、簡易的に排出されてくる転写紙を仕分けるものである。
【００２８】
転写紙の両面に画像を形成する場合は、第１トレイ８、第２トレイ９、及び第３トレイ１０から給紙され、表面に画像形成された転写紙を、通常排紙トレイ１０４側に導かず、経路切り替えのための分岐爪１１２を上側にセットする。これにより、両面搬送ユニット１１１に一旦ストックする。その後、両面搬送ユニット１１１にストックされた転写紙は、再び感光体１５に書き込まれたトナー画像を裏面に転写するため、両面搬送ユニット１１１から再給紙される。そして、経路切り替えのための分岐爪１１２を下側にセットし、通常排紙トレイ１０４へ導く。
【００２９】
このように、両面搬送ユニット１１１は、転写紙の両面に画像を形成する場合に使用される。感光体１５、搬送ベルト１６、定着ユニット１７、排紙ユニット１８、及び現像ユニット２７は、メインモータによって駆動され、給紙ユニット１１から１３は、メインモータの駆動が、給紙クラッチによって伝達駆動される。縦搬送ユニット１４は、メインモータの駆動が中間クラッチによって伝達駆動される。
【００３０】
次に、本実施形態に係る画像形成システムを構成する画像形成装置の操作画面の一例について説明する。図４は、本実施形態に係る画像形成システムを構成する画像形成装置の操作画面の一例について説明する図である。
【００３１】
ＭＦＰ２０３の液晶タッチパネルを一例とする操作部７０には、ＭＦＰ２０３に内蔵されている各アプリケーション処理を実行するためのタッチキーや、ＭＦＰ２０３の状態を示すメッセージ等が表示される。そして、操作部７０の中の連携コピーキー７１を押下すことにより、連携コピー機能の選択、及び設定画面に遷移することが可能である。連携コピー機能については、後述する。
【００３２】
次に、本実施形態に係る画像形成システムを構成する画像形成装置の印刷方法を選択する操作画面について説明する。図５は、本実施形態に係る画像形成システムを構成する画像形成装置の印刷方法を選択する操作画面の一例について説明する図である。
【００３３】
図５の場合、ＭＦＰ２０３において印刷ジョブを実行するする方法として、原稿をスキャンしてから印刷する方法と、登録済みのジョブを印刷する方法との２種類の何れかを選択できるものとしている。ユーザは、原稿スキャンキーと、登録ジョブ印刷キーとの何れかのキーをタッチする。
【００３４】
次に、本実施形態に係る画像形成システムを構成する画像形成装置の出力先を選択する操作画面について説明する。図６は、本実施形態に係る画像形成システムを構成する画像形成装置の出力先を選択する操作画面の一例について説明する図である。
【００３５】
ここで、連携コピー機能について説明する。連携コピー機能とは、画像の入力装置と画像の出力装置とを連携させる機能である。図４に示すように、入力装置と出力装置とを連携させる連携コピーキー７１が選択されると、印刷ジョブの出力に適した出力装置の選択ができるようになる。
【００３６】
図６に示す連携コピー機能が起動された操作部７０において、出力装置として、機器Ｎｏ、１と、機器Ｎｏ、２との何れかを選択することが可能である。ユーザは、機器Ｎｏ、１キーと、機器Ｎｏ、２キーとの何れかのキーをタッチする。なお、図６では、出力装置として選択可能なＭＦＰは２台しか登録されておらず、それ以外は未登録となっているが、出力装置として選択可能なＭＦＰとして、任意の台数を登録することも可能である。また、操作部７０に表示される出力装置の順番は、セキュリティレベルが最も低い居室に設置されている出力装置から昇順に表示するようにしても良い。
【００３７】
次に、本実施形態に係る画像形成システムを構成する画像形成装置の出力条件を表示する操作画面について説明する。図７は、本実施形態に係る画像形成システムを構成する画像形成装置の出力条件を表示する操作画面の一例について説明する図である。
【００３８】
図７に示すように、図６において選択した出力装置で印刷可能な条件の範囲内で、ジョブの印刷条件の選択、及び設定ができるようになっている。図７の場合、図６において選択した出力装置では、フルカラーコピー、トレイの選択が自動であること、部数設定が１であること、及びその他の条件を設定することが可能である。ユーザがスタートキー７２を押下することにより、印刷ジョブが実行される。
【００３９】
次に、本実施形態に係る画像形成システムを構成する画像形成装置が設置されている居室のセキュリティ状況を警告する操作画面について説明する。図８は、本実施形態に係る画像形成システムを構成する画像形成装置が設置されている居室のセキュリティ状況を警告する操作画面の一例について説明する図である。
【００４０】
図８は、スタートキー７２を押下すると操作部７０に表示される画面である。これは、図６において出力装置を選択した後、図７において出力装置の条件等を設定しスタートキー７２を押下するまでの間に、出力装置を選択した時点と比較して、出力装置が設置されている居室のセキュリティレベルが上昇した場合である。すなわち、操作部７０には、出力装置が設置されている居室のセキュリティレベルが上昇したことを報知する警告が表示される。ユーザは、継続キー７３又は中断キー７４の何れかのキーを押下する。この点については後述する。
【００４１】
次に、本実施形態に係る画像形成システムを構成する画像形成装置への蓄積を報知する操作画面について説明する。図９は、本実施形態に係る画像形成システムを構成する画像形成装置への蓄積を報知する操作画面の一例について説明する図である。
【００４２】
図８に示すように、出力装置が設置されている居室のセキュリティレベルが上がったことを報知する警告が表示された場合、例えば、中断キー７４を押下すると、当該出力装置からの画像の出力を中断する。そして、図９に示すように、出力装置が設置されている居室のセキュリティレベルが上昇したので、画像を出力装置に蓄積した旨の表示を操作部７０に表示する。この場合、出力装置から画像は出力されず、出力装置の記憶部に当該画像のデータが蓄積される。ユーザがＯＫキーを押下することにより、処理は終了する。
【００４３】
次に、本実施形態に係る画像形成システムを構成する他の画像形成装置が出力先として選択可能であることを報知する操作画面について説明する。図１０は、本実施形態に係る画像形成システムを構成する他の画像形成装置が出力先として選択可能であることを報知する操作画面の一例について説明する図である。
【００４４】
スタートキー７２を押下すると操作部７０に図１０に示す画面が表示される。これは、図６において出力装置を選択した後、図７において出力装置の条件等を設定しスタートキー７２を押下するまでの間に、出力装置を選択した時点と比較して、より低いセキュリティレベルを有する居室に設置されている出力装置が他に存在する場合である。すなわち、操作部７０には、出力装置の再選択が可能であることを報知する画面が表示される。ユーザは、継続キー７５又は再選択キー７６の何れかのキーを押下する。この点については後述する。
【００４５】
次に、本実施形態に係る画像形成システムの動作について説明する。図１１は、本実施形態の画像形成システムの動作について説明するフロー図である。
【００４６】
まず、ユーザが、ＭＦＰ等の入力装置を用いて連携コピーのスキャンを選択する(ステップＳ１１１)。具体的には、ユーザが、図４に示した操作部７０の連携コピーキー７１を押下する。そうすると、ＭＦＰ等の入力装置は、入退室管理サーバ２０２から、ＭＦＰ等の出力装置が設置されている居室のセキュリティ情報の通知を受ける(ステップＳ１１２)。
【００４７】
ＭＦＰ等の入力装置は、セキュリティ状態が低い居室に設置されているＭＦＰ等の出力装置を抽出する(ステップＳ１１３)。そうすると、ＭＦＰ等の入力装置の操作部７０に、図６に示す出力先を選択する操作画面として、抽出されたＭＦＰ等の出力装置の番号が表示される(ステップＳ１１４)。なお、ステップＳ１１３で抽出される出力装置は，セキュリティレベルが最も低い居室に設置されている出力装置から昇順に抽出するようにしても良い。
【００４８】
次に、本実施形態に係る画像形成システムを構成する画像形成装置の操作部に警告を表示する動作について説明する。図１２は、本実施形態に係る画像形成システムを構成する画像形成装置の操作部に警告を表示する動作について説明するフロー図である。
【００４９】
まず、ユーザが、ＭＦＰ等の入力装置を用いて連携コピーのスキャンを選択する(ステップＳ１２１)。具体的には、ユーザが、図４に示した操作部７０の連携コピーキー７１を押下する。そうすると、ＭＦＰ等の入力装置は、入退室管理サーバ２０２から、ＭＦＰ等の出力装置が設置されている居室のセキュリティ情報の通知を受ける(ステップＳ１２２)。
【００５０】
ＭＦＰ等の入力装置は、セキュリティ状態が低い居室に設置されているＭＦＰ等の出力装置を抽出する(ステップＳ１２３)。そうすると、ＭＦＰ等の入力装置の操作部７０に、図６に示す出力先を選択する操作画面として、抽出されたＭＦＰ等の出力装置の番号が表示される(ステップＳ１２４)。なお、ステップＳ１２３で抽出される出力装置は、セキュリティレベルが最も低い居室に設置されている出力装置から昇順に抽出するようにしても良い。ここまでは、図１１におけるステップＳ１１１からステップＳ１１４までの処理と同一である。
【００５１】
ユーザは、出力したいジョブの印刷条件に適合する機能、構成を有するＭＦＰ等の出力装置を選択する（ステップＳ１２５）。例えば、図６に示すように、ＭＦＰ等の操作部７０に表示された機器Ｎｏ、１又は機器Ｎｏ、２の中から、出力したい印刷条件に適合する出力装置を選択する。
【００５２】
次に、ユーザは、ステップＳ１２５の処理で選択したＭＦＰ等の出力装置において、印刷条件等の設定を行う（ステップＳ１２６）。例えば、図７に示すように、ＭＦＰ等の操作部７０に表示された出力装置における印刷条件等の設定を行う。
【００５３】
次に、ユーザは、印刷条件等の設定が終了したら、スタートキー７２を押下する（ステップＳ１２７)。例えば、図７に示すように、ＭＦＰ等の操作部７０に表示されたスタートキー７２を押下する。
【００５４】
次に、ＭＦＰ等の入力装置は、入退室管理サーバ２０２から、ＭＦＰ等の出力装置が設置されている居室のセキュリティ情報の再通知を受ける(ステップＳ１２８)。そして、ＭＦＰ等の入力装置は、出力装置が設置されている居室のセキュリティ状態が高くなったか否かの判断を行う（ステップＳ１２９）。セキュリティ状態が高くなったと判断された場合（ステップＳ１２９：Ｙ）、この処理を抜けて、ステップＳ１３０の処理へ移行する。
【００５５】
ステップＳ１３０の処理では、ＭＦＰ等の入力装置の操作部７０に、出力装置が設置されている居室のセキュリティ状態が高くなっている旨の警告を表示する(ステップＳ１３０)。例えば、図８に示すように、入力装置の操作部７０に、出力装置が設置されている居室のセキュリティレベルが上がった旨の表示を行う。居室のセキュリティレベルが変化したことを警告表示することにより画像形成を躊躇させ、セキュリティを確保することができる。
【００５６】
ステップＳ１３１の処理では、ユーザが、図８に示す警告表示画面において、継続キー７３を押下したかどうかが判断される。継続キー７３を押下したと判断された場合（ステップＳ１３１：Ｙ）、この処理を抜けて、ステップＳ１３２の処理へ移行する。
【００５７】
ステップＳ１３２の処理では、ステップＳ１２５の処理で選択した出力装置に印刷ジョブを投入して印刷を行う。継続キー７３を押下せずに中断キー７４を押下したと判断された場合（ステップＳ１３１：Ｎ）、ステップＳ１３３の処理へ移行する。ステップＳ１３３の処理では、中断キー７４が押下されたので、ジョブを終了する。
【００５８】
次に、本実施形態に係る画像形成システムを構成する画像形成装置に強制的に蓄積する動作について説明する。図１３は、本実施形態に係る画像形成システムを構成する画像形成装置に強制的に蓄積する動作について説明するフロー図である。
【００５９】
まず、ユーザが、ＭＦＰ等の入力装置を用いて連携コピーのスキャンを選択する(ステップＳ１４１)。具体的には、ユーザが、図４に示した操作部７０の連携コピーキー７１を押下する。そうすると、ＭＦＰ等の入力装置は、入退室管理サーバ２０２から、ＭＦＰ等の出力装置が設置されている居室のセキュリティ情報の通知を受ける(ステップＳ１４２)。
【００６０】
ＭＦＰ等の入力装置は、セキュリティ状態が低い居室に設置されているＭＦＰ等の出力装置を抽出する(ステップＳ１４３)。そうすると、ＭＦＰ等の入力装置の操作部７０に、図６に示す出力先を選択する操作画面として、抽出されたＭＦＰ等の出力装置の番号が表示される(ステップＳ１４４)。なお、ステップＳ１４３で抽出される出力装置は，セキュリティレベルが最も低い居室に設置されている出力装置から昇順に抽出するようにしても良い。ここまでは、図１１におけるステップＳ１１１からステップＳ１１４までの処理と同一である。
【００６１】
ユーザは、出力したいジョブの印刷条件に適合する機能、構成を有するＭＦＰ等の出力装置を選択する（ステップＳ１４５）。例えば、図６に示すように、ＭＦＰ等の操作部７０に表示された機器Ｎｏ、１又は機器Ｎｏ、２の中から、出力したい印刷条件に適合する出力装置を選択する。
【００６２】
次に、ユーザは、ステップＳ１４５の処理で選択したＭＦＰ等の出力装置において、印刷条件等の設定を行う（ステップＳ１４６）。例えば、図７に示すように、ＭＦＰ等の操作部７０に表示された出力装置における印刷条件等の設定を行う。
【００６３】
次に、ユーザは、印刷条件等の設定が終了したら、スタートキー７２を押下する（ステップＳ１４７)。例えば、図７に示すように、ＭＦＰ等の操作部７０に表示されたスタートキー７２を押下する。
【００６４】
次に、ＭＦＰ等の入力装置は、入退室管理サーバ２０２から、ＭＦＰ等の出力装置が設置されている居室のセキュリティ情報の再通知を受ける(ステップＳ１４８)。そして、ＭＦＰ等の入力装置は、出力装置が設置されている居室のセキュリティ状態が高くなったか否かの判断を行う（ステップＳ１４９）。ここまでは、図１２におけるステップＳ１２５からステップＳ１２９までの処理と同一である。
【００６５】
セキュリティ状態が高くなっていると判断された場合（ステップＳ１４９：Ｙ）、この処理を抜けて、ステップＳ１５０の処理へ移行する。ステップＳ１５０の処理では、出力装置が設置されている居室のセキュリティレベルが上がったので、出力装置から画像を出力せず、出力装置の記憶部に当該画像のデータを蓄積する。居室のセキュリティレベルが変化したことに伴い画像データを蓄積することにより、画像を外部に漏洩することなくセキュリティを確保することができる。そして、出力装置に画像を蓄積した旨の表示を、図９に示すように入力装置の操作部７０に表示する（ステップＳ１５１）。
【００６６】
次に、本実施形態に係る画像形成システムを構成する画像形成装置の再選択を行う動作について説明する。図１４は、本実施形態に係る画像形成システムを構成する画像形成装置の再選択を行う動作について説明するフロー図である。
【００６７】
まず、ユーザが、ＭＦＰ等の入力装置を用いて連携コピーのスキャンを選択する(ステップＳ１６１)。具体的には、ユーザが、図４に示した操作部７０の連携コピーキー７１を押下する。そうすると、ＭＦＰ等の入力装置は、入退室管理サーバ２０２から、ＭＦＰ等の出力装置が設置されている居室のセキュリティ情報の通知を受ける(ステップＳ１６２)。
【００６８】
ＭＦＰ等の入力装置は、セキュリティ状態が低い居室に設置されているＭＦＰ等の出力装置を抽出する(ステップＳ１６３)。そうすると、ＭＦＰ等の入力装置の操作部７０に、図６に示す出力先を選択する操作画面として、抽出されたＭＦＰ等の出力装置の番号が表示される(ステップＳ１６４)。なお、ステップＳ１５３で抽出される出力装置は，セキュリティレベルが最も低い居室に設置されている出力装置から昇順に抽出するようにしても良い。ここまでは、図１１におけるステップＳ１１１からステップＳ１１４までの処理と同一である。
【００６９】
ユーザは、出力したいジョブの印刷条件に適合する機能、構成を有するＭＦＰ等の出力装置を選択する（ステップＳ１６５）。例えば、図６に示すように、ＭＦＰ等の操作部７０に表示された機器Ｎｏ、１又は機器Ｎｏ、２の中から、出力したい印刷条件に適合する出力装置を選択する。
【００７０】
次に、ユーザは、ステップＳ１６５の処理で選択したＭＦＰ等の出力装置において、印刷条件等の設定を行う（ステップＳ１６６）。例えば、図７に示すように、ＭＦＰ等の操作部７０に表示された出力装置における印刷条件等の設定を行う。
【００７１】
次に、ユーザは、印刷条件等の設定が終了したら、スタートキー７２を押下する（ステップＳ１６７)。例えば、図７に示すように、ＭＦＰ等の操作部７０に表示されたスタートキー７２を押下する。
【００７２】
次に、ＭＦＰ等の入力装置は、入退室管理サーバ２０２から、ＭＦＰ等の出力装置が設置されている居室のセキュリティ情報の再通知を受ける(ステップＳ１６８)。ここまでは、図１２におけるステップＳ１２５からステップＳ１２８までの処理と同一である。
【００７３】
次に、ＭＦＰ等の入力装置は、入退室管理サーバ２０２から、セキュリティ状態が低くなった居室に設置されている出力装置を再抽出する（ステップＳ１６９）。そして、ＭＦＰ等の入力装置は、新たに再選択可能な出力装置があるか否かの判断を行う（ステップＳ１７０）。
【００７４】
新たに再選択可能な出力装置がないと判断された場合（ステップＳ１７０：Ｎ）、この処理を抜けて、ステップＳ１７５の処理へ移行する。ステップＳ１７５の処理では、ステップＳ１６５の処理で選択した出力装置にジョブを投入して印刷を行う。
【００７５】
新たに再選択可能な出力装置があると判断された場合（ステップＳ１７０：Ｙ）、ＭＦＰ等の入力装置の操作部７０に、新たに再選択可能な出力装置があることを表示する（ステップＳ１７０）。例えば、図１０に示すように、ＭＦＰ等の入力装置の操作部７０に、セキュリティレベルが低い居室の出力装置が他にある旨の通知を表示する。
【００７６】
次に、図１０に示す操作部７０において、ユーザが継続キー７５を押下したかどうかが判断される（ステップＳ１７２）。継続キー７５を押下したと判断された場合（ステップＳ１７２：Ｙ）、ステップＳ１６５の処理で選択した出力装置にジョブを投入して印刷を行う（ステップＳ１７５）。
【００７７】
継続キー７５を押下せずに再選択キー７６を押下したと判断された場合（ステップＳ１７２：Ｎ）、セキュリティ状態が低い居室に設置されている出力装置のうち、より高速に出力することができる出力装置があるかどうかが判断される（ステップＳ１７３）。より高速に出力することができる出力装置として、例えば、画像形成速度が最速の出力装置の有無を判断しても良い。
【００７８】
より高速に出力することができる出力装置があると判断された場合（ステップＳ１７３：Ｙ）、ステップＳ１７４の処理へ移行する。ステップＳ１７４の処理では、セキュリティ状態が低い居室に設置されている出力装置のうち、より高速に出力することができる出力装置を、ＭＦＰ等の入力装置の操作部７０に表示する。居室のセキュリティレベルが変化したことに伴い、高速に出力可能な出力装置の選択肢を増やし、高速に画像を得ることでセキュリティを確保することができる。
【００７９】
より高速に出力することができる出力装置がないと判断された場合（ステップＳ１７３：Ｎ）、ステップＳ１７６の処理へ移行する。ステップＳ１７６の処理では、セキュリティ状態が低い居室に設置されている出力装置のうち、より近くに出力することができる出力装置があるかどうかが判断される。
【００８０】
より近くに出力することができる出力装置があると判断された場合（ステップＳ１７６：Ｙ）、ステップＳ１７７の処理へ移行する。ステップＳ１７７の処理では、セキュリティ状態が低い居室に設置されている出力装置のうち、より近くに出力することができる出力装置を、ＭＦＰ等の入力装置の操作部７０に表示する。居室のセキュリティレベルが変化したことに伴い、近くに出力可能な出力装置の選択肢を増やし、素早く画像を得ることでセキュリティを確保することができる。
【００８１】
より近くに出力することができる出力装置がないと判断された場合（ステップＳ１７６：Ｎ）、ステップＳ１７８の処理へ移行する。ステップＳ１７８の処理では、セキュリティ状態が低い居室に設置されている出力装置のうち、より安く出力することができる出力装置があるかどうかが判断される。より安く出力することができる出力装置として、例えば、画像形成の価格が最安値の出力装置の有無を判断しても良い。
【００８２】
より安く出力することができる出力装置があると判断された場合（ステップＳ１７８：Ｙ）、ステップＳ１７９の処理へ移行する。ステップＳ１７９の処理では、セキュリティ状態が低い居室に設置されている出力装置のうち、より安く出力することができる出力装置を、ＭＦＰ等の入力装置の操作部７０に表示する。居室のセキュリティレベルが変化したことに伴い、安価に出力可能な出力装置の選択肢を増やし、容易に画像を得ることでセキュリティを確保することができる。
【００８３】
より安く出力することができる出力装置がないと判断された場合（ステップＳ１７８：Ｎ）、ステップＳ１８０の処理へ移行する。ステップＳ１８０の処理では、ステップＳ１６９の処理で抽出された出力装置をすべて、ＭＦＰ等の入力装置の操作部７０に表示する。
【００８４】
なお、図１１から図１４に示した本実施形態に係る画像形成システムの動作フローは、コンピュータ上のプログラムに実行させることもできる。すなわち、画像形成システムを構成する各装置の制御部に内蔵されているＣＰＵ（Central Processing Unit）が、ＲＯＭ（Read Only Memory）等の記憶部に格納されたプログラムをロードする。そして、プログラムの各処理ステップが順次実行されることによって行われる。
【００８５】
従来の画像形成装置では、画像を秘匿しておきたい部外者が在室していない居室に設置されている画像形成装置に対して印刷ジョブを転送することにより、画像のセキュリティを確保しつつ画像形成を行うことは可能であるが、当該画像の転送先となる画像形成装置を、ユーザが自由に選択することができないという問題があった。
【００８６】
これに対して、本実施形態では、居室への入退室者を検出することにより得られる当該居室のセキュリティレベルと、そこに設置されている画像形成装置を出力先として選択することが可能か否かという情報とを連携させている。そして、画像形成を指示する入力装置と、画像形成を実行する出力装置とを連携させている。これにより、セキュリティが確保された画像形成装置を出力先としてユーザが自由に選択することが可能となる。
【００８７】
以上説明したように、本発明によれば、ユーザが、画像の出力先として、セキュリティが確保された画像形成装置を自由に選択することが可能な画像形成装置、画像形成システム、画像形成装置の制御方法、及びプログラムを得ることができる。
【００８８】
なお、この形態は本発明の範囲を限定するものではなく、入退室管理サーバが、セキュリティレベルが低い居室に設置されている出力装置を選択する機能、選択された出力装置に対して印刷を指示してジョブを実行させる機能を備えても良い。また、出力装置が、設置されている居室へ入退室を制御し、当該居室のセキュリティレベルを測定する機能、セキュリティレベルの低い居室を抽出する機能を備えても良い。さらに、画像形成システムを構成する入退室管理サーバは複数台でも良く、如何なるサーバに如何なる機能を備えさせても良い。
【００８９】
また、この実施形態で説明する画像形成装置と、入退室管理サーバとが接続されたシステム構成は一例であり、用途や目的に応じて様々なシステム構成例があることはいうまでもない。
【００９０】
以上、これまで本発明の実施形態について説明してきたが、本発明の実施形態は上述した実施形態に限定されるものではない。すなわち、他の実施形態、追加、変更、削除等、当業者が想到することができる範囲内で変更することができ、何れの態様においても本発明の作用効果を奏する限り、本発明の範囲に含まれるものである。
【符号の説明】
【００９１】
１    自動原稿送り装置（ＡＤＦ）
２    原稿台
３    給送ローラ
４    給送ベルト
５    搬送ローラ
６    コンタクトガラス
７    原稿セット検知部
８    第１トレイ
９    第２トレイ
１０    第３トレイ
１１    第１給紙ユニット
１２    第２給紙ユニット
１３    第３給紙ユニット
１４    縦搬送ユニット
１５    感光体
１６    搬送ベルト
１７    定着ユニット
１８    排紙ユニット
１９    排紙トレイ
５０    読み取りユニット
５１    露光ランプ
５２    第１ミラー
５３    レンズ
５４    ＣＣＤイメージセンサ
５５    第２ミラー
５６    第３ミラー
５７    書き込みユニット
５８    レーザ出力ユニット
５９    結像レンズ
６０    ミラー
７０    操作部
７１    連携コピーキー
７２    スタートキー
７３、７５    継続キー
７４    中断キー
７６    再選択キー
１００    フィニッシャー
１０１    分岐偏光板
１０２、１０３、１２２    排紙搬送ローラ
１０４    通常排紙トレイ
１０５、１０７    ステープラ搬送ローラ
１０６    ステープラ
１０８    ステープルトレイ
１０９    ジョガー
１１０    中綴じステープル・断裁完了排紙トレイ
１１１    両面搬送ユニット
１１２    反転ユニット
１１３    両面入紙搬送路
１１４    反転排紙搬送路
１１５    第１折りローラ
１１６    第２折りローラ
１１７    第３折りローラ
１１８    折り決めローラ
１１９    折り紙搬送路
１２０    パンチユニット
１２１    中綴じステープラ
１２３    断裁機
２００    画像形成システム
２０１    入退室制御装置
２０２    入退室管理サーバ
２０３    ＭＦＰ
２０４    プリンタ
２０５    ＬＡＮ
【先行技術文献】
【特許文献】
【００９２】
【特許文献１】特開２０１２−０４５９０１号公報
【図１】
2016133672.tif 000003
【図２】
2016133672.tif 000004
【図３】
2016133672.tif 000005
【図４】
2016133672.tif 000006
【図５】
2016133672.tif 000007
【図６】
2016133672.tif 000008
【図７】
2016133672.tif 000009
【図８】
2016133672.tif 000010
【図９】
2016133672.tif 000011
【図１０】
2016133672.tif 000012
【図１１】
2016133672.tif 000013
【図１２】
2016133672.tif 000014
【図１３】
2016133672.tif 000015
【図１４】
2016133672.tif 000016